(57)【特許請求の範囲】
【請求項１】
容器の上面に植物が植えられた植栽ユニットが箱形の貯水トレーに密接して敷き詰められ、該貯水トレーの周壁が植栽ユニットよりも高くなって植栽ユニットの上側に貯水部が形成され、貯水トレーの下部には灌水パイプが配置された灌水部が仕切板によって格子状に形成され、該灌水部を形成する仕切板の上端と同一レベルで排水口が周壁に開口され、該排水口を囲むようにして形成した筒体内にフロートが上下動自在に設置され、該フロートの上下動による排水口の開閉により、貯水部からの排水または貯水部への貯水をすることを特徴とする屋上における貯水装置。
【請求項２】
灌水パイプの適宜箇所に吸気部を設け、該吸気部は、先端部にニードル弁を設けた給水管が灌水パイプに差し込まれて形成されたことを特徴とする請求項１に記載の貯水装置。
【発明の詳細な説明】
【０００１】
【発明の属する技術分野】
本発明は屋上における貯水装置に関するものである。
【０００２】
【従来の技術】
近年、オフィスビルや学校などの屋上緑化が図られ、これを、例えば図７に示すように、上面に芝生などの植物３４が植えらた植栽ユニット３５が敷き詰められた防水トレー３６を屋上に設置しておこなっていた。
【０００３】
【発明が解決しようとする課題】
しかし、上記の屋上緑化における防水トレーは、芝生等を培養する水位を確保する機能、すなわち渇水時における貯水空間のみを有するが、この貯水空間が満水のときには、それ以外の雨水などを貯水する機能を備えていなかった。
【０００４】
本発明はこれらの問題に鑑みてなされたものであり、その目的は、建物の屋上緑化とともに、灌水用貯留空間が満水の場合でも、確実に雨水貯水のできる屋上における貯水装置を提供することである。
【０００５】
【課題を解決するための手段】
以上の課題を解決するための屋上における貯水装置は、容器の上面に植物が植えられた植栽ユニットが箱形の貯水トレーに密接して敷き詰められ、該貯水トレーの周壁が植栽ユニットよりも高くなって植栽ユニットの上側に貯水部が形成され、貯水トレーの下部には灌水パイプが配置された灌水部が仕切板によって格子状に形成され、該灌水部を形成する仕切板の上端と同一レベルで排水口が周壁に開口され、該排水口を囲むようにして形成した筒体内にフロートが上下動自在に設置され、該フロートの上下動による排水口の開閉により、貯水部からの排水または貯水部への貯水をすることを特徴とする。また灌水パイプの適宜箇所に吸気部を設け、該吸気部は、先端部にニードル弁を設けた給水管が灌水パイプに差し込まれて形成されたことを含む。
【０００６】
植栽ユニットの上側に形成された貯水部に雨水が貯水されることにより、建物などの屋上を植栽スペースおよび、雨水などの貯水スペースとして利用することができるので、施工コストの高い浸透配管設備や、雨水貯留ピットを設置する必要がない。またフロートの上下動による排水口の開閉により、貯水部に溜まった水の排水調整ができる。また灌水パイプに設けた吸気部により、灌水へ自動的に酸素を補給することができる。
【０００７】
【発明の実施の形態】
以下、本発明の屋上における貯水装置（以下単に貯水装置という）の実施の形態を図面に基づいて説明するが、各実施の形態において同じ構成は同じ符号を付して説明し、異なった構成にのみ異なった符号を付して説明する。
【０００８】
図１は、第１の実施の形態の貯水装置１を示したものであり、この貯水装置１は建物などの屋上に設置される貯水トレー２に植栽ユニット３が密接状に設置されて構成されている。この貯水装置１は植栽ユニット３によって建物の屋上緑化もおこなっている。
【０００９】
貯水トレー２は合成樹脂で箱形に成形され、周壁４が植栽ユニット３よりも高くなって貯水部５が形成され、この貯水部５の下側に仕切板６で格子状に区画された灌水部７が形成され、この灌水部７に灌水パイプ８が配設されている。また周壁４の内側には植栽ユニット３を保持またはガイドする内壁９が設けられ、該内壁９に通水孔１０が開口されている。前記灌水パイプ８には、図２に示すように、ニードル弁１１を設けた給水管１２の先端が挿入された吸気部１３が形成され、この吸気部（給水管と灌水パイプとの間）１３から灌水に空気が取り込まれる。この灌水は渇水時における培養水として灌水部７に貯留されるが、ここが満水になると、図１の（２）に示すように、仕切板の上端と同一レベルに開口された周壁の排水口１４からオバーフローされる。しかし灌水部７が満水状態であっても、排水口のバルブ１５を閉じると貯水部５に雨水を貯水することができるようになる。なお、この貯水部５に貯水された雨水は、その必要がなくなった時（一般的には雨があった時）に、手動バルブ１５を開いた排出口１４から排出する。
【００１０】
一方、植栽ユニット３は、側面および底面に通水孔１０を設けた方形の容器１６と、該容器１６に充填された土壌１７に植え込まれた芝生や苔などの植物１８とから構成され、この植物１８によって屋上が緑化される。このように貯水装置１を屋上に設置すると屋上緑化とともに、屋上を貯水スペースとして利用することもできる。
【００１１】
また図３は、第２の実施の形態の貯水装置２０を示し、排水口１４をフロート２１で開閉するようにしたものであり、これ以外は第１の実施の形態の貯水装置１と同じ構成である。このフロート２１は排水口１４の周囲に設けた筒体２２内に設置され、回転レバー２３の回転で筒体２２内を上下動するように回転レバーの先端に取り付けられ、この上下動により排水口１４が開閉するようになっている。この回転レバー２３は、図３の（２）に示すように、Ｌ字形であり、Ｌ形の折曲部が軸２３ａで周壁４に取り付けられ、上端に設けた錘２４によって軸２３ａを中心に回転できるようになっている。したがって、降雨時には同図の（２）における点線で示すように、回転レバー２３を回転させて排水口１４をフロート２１で閉じて貯水部５に雨水を貯水する。一方、降雨後は回転レバー２３を実線で示すように回転させて、フロートを押し下げて排水口１４を開くことにより、灌水部７のみに雨水を残して排水する。
【００１２】
また図４は、第３の実施の形態の貯水装置２５を示し、排水口のバルブの開閉と、灌水部７の水位の検出と、灌水時期の検出とをそれぞれコントローラー２６で管理するために、排水口の電磁バルブ２７と、灌水部の水位検出センサー２８と、灌水パイプの電磁バルブ２９と、昼光センサー３０とをそれぞれコントローラー２６に電気的に連結したものであり、これ以外は第１の実施の形態の貯水装置１と同じ構成である。したがって、水位検出センサー２８によって灌水部７の水位を検出して排水口の電磁バルブ２７の開閉を調整するとともに、昼光センサー３０による灌水時の検出により灌水パイプの電磁バルブ２９を操作して、日射しの強い日中を避けた灌水（夜間灌水）をおこなう。また、同図の（２）は、庭園灯３１とコントローラー２６とを電気的に連結したものであり、上記と同じ作動をする。
【００１３】
また図５は、第４の実施の形態の貯水装置３２を示し、植栽ユニット３を傾斜させて貯水トレー２に設けたものであり、これ以外は第１の実施の形態の貯水装置１と同じ構成である。この貯水装置３２は屋根などの傾斜部に設けることができる。
【００１４】
また図６は、第５の実施の形態の貯水装置３３を示し、灌水部７に設置したフロート２１で植栽ユニット３を上下させることにより、貯水トレー２全体を貯水部５にしようとするものであり、これ以外は第１の実施の形態の貯水装置１と同じ構成である。したがって、降雨による雨水が貯水トレ２ーに溜まると、図に示すように、フロート２１で植栽ユニット３が持ち上げられ、この雨水を排水口１４から排出するとフロート２１が下がって植栽ユニット３が元の位置に戻る。
【００１５】
【発明の効果】
植栽ユニットの上側に形成された貯水部に雨水が貯水されることにより、建物などの屋上を植栽スペースおよび、雨水などの貯水スペースとして利用することができるので、施工コストの高い浸透配管設備や、雨水貯留ピットを設置する必要がない。
【００１６】
回転レバーによるフロートの押し下げにより、貯水部に溜まった水の排水調整がおこなえる。
【００１７】
昼光センサーによって、日射しの強い日中の灌水を避けて、夜間灌水をすることができる。
【００１８】
夜間点灯の庭園灯からの点灯信号により、日射しの強い日中の灌水を避けて、夜間灌水をすることができる。
【００１９】
灌水パイプに設けた吸気部により、灌水へ自動的に酸素を補給することができる。
【００２０】
灌水部に設けた格子状の仕切壁が一方方向に傾斜したことにより、屋根などの傾斜面に貯水装置を設置することができる。
【００２１】
灌水部に設置したフロートにより植栽ユニットが上下するので、雨水を貯水トレー全体に溜めることができる。
【図面の簡単な説明】
【図１】（１）は第１の実施の形態の貯水装置の斜視図、（２）は貯水トレーの要部断面図である。
【図２】（１）は灌水パイプの概念図、（２）は吸気部の断面図である。
【図３】第２の実施の形態の貯水装置を示し、（１）は貯水トレーの要部断面図、（２）は同側面図である。
【図４】第３の実施の形態の貯水装置を示し、（１）は貯水トレーの要部断面図、（２）は庭園灯とコントローラとを電気的に連係した概念図である。
【図５】（１）および（２）は第４の実施の形態の貯水装置の一部省略断面図である。
【図６】第５の実施の形態の貯水装置の一部省略断面図である。
【図７】従来の貯水装置の一部省略断面図である。
【符号の説明】
１、２０、２５、３２、３３  貯水装置
２、３５  貯水トレー
３  植栽ユニット
４  周壁
５  貯水部
６  仕切板
７  灌水部
８  灌水パイプ
９  内壁
１０  通水孔
１１  ニードル弁
１２  給水管
１３  給気管
１４  排水口
１５  バルブ
１６  容器
１７  土壌
１８、３４  植物
２１  フロート
２２  筒体
２３  回転レバー
２４  錘
２６  コントローラー
２７  排水口の電磁バルブ
２８  水位検出センサー
２９  灌水パイプの電磁バルブ
３０  昼光センサー
３１  庭園灯
３６  防水トレー
【図１】
0004185683.tif 000002
【図２】
0004185683.tif 000003
【図３】
0004185683.tif 000004
【図４】
0004185683.tif 000005
【図５】
0004185683.tif 000006
【図６】
0004185683.tif 000007
【図７】
0004185683.tif 000008